(57)【特許請求の範囲】
【請求項１】
回転軸の先端部にプロペラがボス部にて装着され、上記ボス部の先端面に、内周面に係合部を有する凹部が該凹部底面に上記回転軸の先端面を臨ませて形成された水中機械に対し、上記プロペラを回転軸から軸方向に抜き取るための工具であって、
前端部が上記水中機械の回転軸先端面に軸方向より当接可能な雄ねじ部材と、
上記雄ねじ部材に螺合された支持部材と、
後端側にて上記支持部材に揺動可能に支持されて開閉するように設けられ、前端に、上記プロペラのボス部の凹部内周面の係合部に係合する係止部を有する複数のアームと、
上記アームの開き動作によりアーム前端の係止部がボス部の凹部内周面の係合部に係合したときに該アームを開き状態に保持する、上記雄ねじ部材に軸方向に移動可能に支持されたパイプ部材である係止保持手段とを備え、
上記アーム前端の係止部とボス部の凹部内周面の係合部との係合状態で雄ねじ部材の回転により支持部材を後方向に螺進させることにより、ボス部を回転軸から抜き出すようにしたことを特徴とする水中機械のプロペラ抜き取り工具。
【請求項２】
請求項１の水中機械のプロペラ抜き取り工具において、
アームの少なくとも前端部外面は、プロペラのボス部の凹部内周面に対応した形状とされていることを特徴とする水中機械のプロペラ抜き取り工具。
【請求項３】
請求項１又は２の水中機械のプロペラ抜き取り工具において、
水中機械の回転軸先端面に穴部が形成されている一方、雄ねじ部材の前端部に、上記穴部に係合する先細りテーパ部が設けられていることを特徴とする水中機械のプロペラ抜き取り工具。
【請求項４】
請求項１〜３のいずれか１つの水中機械のプロペラ抜き取り工具において、
雄ねじ部材の前端部にパイプ部材の抜け止め部が設けられていることを特徴とする水中機械のプロペラ抜き取り工具。
【請求項５】
請求項１〜４のいずれか１つの水中機械のプロペラ抜き取り工具において、
雄ねじ部材の後端部に、雄ねじ部材を回転操作するためのハンドル部が一体的に設けられていることを特徴とする水中機械のプロペラ抜き取り工具。
【請求項６】
請求項１〜５のいずれか１つの水中機械のプロペラ抜き取り工具において、
水中機械は水中ミキサであることを特徴とする水中機械のプロペラ抜き取り工具。
【発明の詳細な説明】
【０００１】
【発明の属する技術分野】
本発明は、プロペラを有する水中ミキサや水中ポンプ等の水中機械からプロペラを抜き取るための工具に関し、特にプロペラの抜き取り作業の作業性を高めるための技術分野に属する。
【０００２】
【従来の技術】
従来より、この種の水中機械において、その回転軸の先端部にキー結合等により回転一体に装着されたプロペラを軸方向にスライドさせて抜き取る場合に、例えばプロペラのボス部とケーシングとの間のわずかな隙間に、市販工具であるギヤープーラー等を挿入してプロペラを抜き取る方法や、薄板等を上記隙間に挿入し木槌等にて叩いて外す方法等が一般的に行われている。
【０００３】
【発明が解決しようとする課題】
しかし、上記従来の方法では、プロペラボス部とケーシングとの間の隙間が小さいので、その隙間に工具等を挿入し難いだけでなく、複数回の抜き取り作業を繰り返すうちにプロペラボス部又はケーシングに損傷が発生する虞れがある。そして、上記プロペラボス部とケーシングとの間の隙間がゴムシールにより覆われてシールされている構造であると、上記の如きプロペラボス部又はケーシングの損傷のために、シール機能が損なわれる等の問題が生じる。また、抜き取り作業の工数も多くなり作業能率が低いという問題もあった。
【０００４】
本発明は斯かる諸点に鑑みてなされたものであり、その目的とするところは、水中機械のプロペラ抜き取り工具を工夫することにより、プロペラのボス部等に損傷を発生させることなく、効率よくプロペラを抜き取りできるようにすることにある。
【０００５】
【課題を解決するための手段】
上記の目的を達成するために、請求項１の発明では、回転軸の先端部にプロペラがボス部にて装着され、上記ボス部の先端面に、内周面に係合部を有する凹部がその底面に上記回転軸の先端面を臨ませて形成された水中機械に対し、上記プロペラを回転軸から軸方向に抜き取るための工具として、前端部が上記水中機械の回転軸先端面に軸方向より当接可能な雄ねじ部材と、この雄ねじ部材に螺合された支持部材と、後端側にてこの支持部材に揺動可能に支持されて開閉するように設けられ、前端に、上記プロペラのボス部の凹部内周面の係合部に係合する係止部を有する複数のアームと、このアームの開き動作によりアーム前端の係止部がボス部の凹部内周面の係合部に係合したときに、このアームを開き状態に保持する係止保持手段とを備え、上記アーム前端の係止部とボス部の凹部内周面の係合部との係合状態で雄ねじ部材の回転により支持部材を後方向に螺進させることにより、ボス部を回転軸から抜き出すようにする。
【０００６】
上記の構成によると、アームを開き状態にしてアーム前端の係止部とボス部の凹部内周面の係合部とを係合させ、このアームの開き状態を係止保持手段で保持する。この保持状態で雄ねじ部材を回転させると、支持部材が雄ねじ部に沿って後方向に螺進し、この支持部材に支持されているアームがボス部を係合した状態で後方に移動し、このことにより、ボス部をスライドさせて回転軸から抜き出すことができる。従って、このようにアーム前端の係止部とボス部の係合部との係合状態でアームを後進させてプロペラを回転軸から抜き取るので、プロペラのボス部等に損傷を発生させることなく、効率よくプロペラを抜き取ることができる。
【０００７】
請求項２の発明では、アームの少なくとも前端部外面は、プロペラのボス部の凹部内周面に対応した形状とする。こうすると、アームの前端部外面とプロペラのボス部の凹部内周面との接触面積が大きくなり、より堅固に両者を係止することができるため、アーム前端の係止部とボス部の凹部内周面の係合部との係合状態を安定保持できる。
【０００８】
請求項３の発明では、係止保持手段は、雄ねじ部材に軸方向に移動可能に支持されたパイプ部材とする。
【０００９】
上記の構成によると、複数のアームの後端側をアーム中間部の内面がパイプ部材に押しつけられるように握ると、これらのアームは、パイプ部材との当接位置を支点としててこの原理でアーム前端部が互いに離れるように開き、アーム前端に設けられた係止部が凹部の係合部に係合する。このことで、簡単な構造で容易にアームが開き状態に安定保持される。
【００１０】
請求項４の発明では、水中機械の回転軸先端面に穴部が形成されている一方、雄ねじ部材の前端部に、上記穴部に係合する先細りテーパ部を設ける。この構成によると、雄ねじ部材の前端部を回転軸の先端面に位置合わせして当接させる作業が容易となる。
【００１１】
請求項５の発明では、雄ねじ部材の前端部にパイプ部材の抜け止め部を設ける。こうすれば、プロペラ抜き取り工具からパイプ部材が抜け止めされるため、工具の運搬や収納に便利である。
【００１２】
請求項６の発明では、雄ねじ部材の後端部に、雄ねじ部材を回転操作するためのハンドル部を一体的に設ける。
【００１３】
上記の構成によると、プロペラを抜き取る作業の際に、雄ねじ部材に一体的に設けられたハンドル部を操作するだけで容易に雄ねじ部材を回転することが可能となる。これにより、別途にレンチやスパナ等の工具を用いて雄ねじ部材を回し操作することが不要となり、抜き取り作業の作業性を高めることができる。
【００１４】
請求項７の発明では、水中機械は水中ミキサであるとする。この構成によると、プロペラのボス部等の損傷を招くことなく水中ミキサの点検を作業性よく容易に行うことができる。
【００１５】
【発明の実施の形態】
図４において、１は水中機械としての水中ミキサで、この水中ミキサ１は、図示しないが、例えば下水処理場や各種工場等での貯水場、池湖水、壕、養魚場等からなる水槽内の貯留水に例えばガイドバーに昇降可能に支持された状態で浸漬されており、その作動により貯留水を撹拌して浄化を促進させるために用いられる。この水中ミキサ１は、内部にモータ（図示せず）を有する密閉円筒状のケーシング２を備え、このケーシング２の前壁部からモータの回転軸としてのシャフト４の先端部４ａが突出し、このシャフト４の先端部４ａにはプロペラ６がキー結合により回転一体に装着されている。このプロペラ６は、先端に向かって小径となる球面からなる外周部を有しかつ中心部にシャフト４が挿通されるシャフト挿通孔５を有する略半球形状のボス部７と、このボス部７の外周面に周方向に間隔をあけ一体接合された複数枚の撹拌羽根８，８…とからなる。
【００１６】
さらに、図１にも示すように、上記ボス部７の先端面には有底円筒状の凹部９が上記シャフト挿通孔５と同心状に形成され、この凹部９の底面にシャフト挿通孔５が開口しており、この凹部９底面から上記シャフト４の先端部４ａが突出した状態、つまり凹部９底面にシャフト４の先端面４ｃを臨ませた状態で、シャフト４にボス部７が装着されている。また、この凹部９底面から突出するシャフト４の先端部４ａにはねじ部４ｄが設けられており、凹部９の前方からナット１１を挿入して上記シャフト４の先端ねじ部４ｄに螺合締結することで、プロペラ６のボス部７をシャフト４に回転一体に抜け止めして固定するようにしている。そして、図５に示すように、上記シャフト４の先端面４ｃの中心には小径の穴部４ｅが設けられている。
【００１７】
また、図４に示すように、上記凹部９の開口近くの内周面には凹状溝からなる係合部１０が設けられ、この係合部１０に係止される略円盤状の蓋１２により凹部９の開口端が閉じられている。
【００１８】
尚、ケーシング２の前壁部外周部には、上記プロペラ６のボス部７の外周部と摺接してケーシング２の前壁部外周部とプロペラ６のボス部７の外周部との間の隙間を全周に亘って覆う外部シール１３が取付固定されている。
【００１９】
また、貯留水に対する攪拌エネルギーを遠距離まで持続させる目的で、プロペラ６の周囲にリング状のドラフトリング１４がケーシング２に固着支持された状態で配置されている。また、ケーシング２の後端部には断面コ字状のスライド部１５が固定され、このスライド部１５を上記ガイドバーにそれを挟み込んだ状態で装着することで、水中ミキサ１がガイドバーに昇降可能に支持されている。さらに、ケーシング２の後端上部には、上記モータに電力を供給するための電力ケーブル１６が水密状に貫通されており、水中ミキサ１は、電力ケーブル１６を介してモータへ電力を供給されることにより、プロペラ６を回転させて貯留水中に旋回流を発生させ、この旋回流により水槽内の貯留水を攪拌して浄化を促進させるようになっている。
【００２０】
このように使用される水中ミキサ１の点検又は修理の目的で、プロペラ６を軸方向にスライドさせてシャフト４から抜き出すために、図２及び図３に示すような本発明の実施形態に係るプロペラ抜き取り工具２０が用いられる。
【００２１】
すなわち、上記抜き取り工具２０について詳細に説明すると、この工具２０は略全長に亘り螺刻された雄ねじ部材２１を備え、この雄ねじ部材２１の後端部には、雄ねじ部材２１を他の工具で回し操作するための六角頭部からなる操作部２１ａが一体に設けられている。
【００２２】
また、上記雄ねじ部材２１には、支持部材２２が螺合され、この支持部材２２は、雄ねじ部材２１に螺合される雌ねじ（図示せず）が内面に設けられた環状部２２ａと、該環状部２２ａの外周面の直径方向に対向する位置に接合されて突設された２本の棒部２２ｂ，２２ｂとを有する。
【００２３】
そして、上記支持部材２２の棒部２２ｂ，２２ｂには断面略円弧状の一対（３つ以上でもよい）のアーム２３，２３が各アーム２３後端側の孔（図示せず）に棒部２２ｂを挿通した状態で揺動可能に支持され、このことで両アーム２３，２３は前端部が互いに接離するように開閉する。尚、この各アーム２３は、棒部２２ｂ先端に設けた略リング状の抜け止め２４，２４によって抜け止めされている。
【００２４】
また、上記アーム２３，２３の前端には、上記プロペラ６のボス部７の凹部９内周面の係合部１０に係合する断面略円弧状の係止部２５が外側に向かうように突設されている。そして、各アーム２３の前端部外面及び係止部２５の先端面はプロペラ６のボス部７の凹部９内周面に対応した形状とされている。
【００２５】
さらに、上記雄ねじ部材２１には、雄ねじ部材２１の外径よりも大径の貫通孔２６ａを有する係止保持手段としての円筒状のパイプ部材２６が軸方向に移動可能に支持されている。すなわち、上記アーム２３，２３の開き動作によりアーム２３，２３前端の係止部２５，２５がボス部７の凹部９内周面の係合部１０に係合したときに、この各アーム２３の中間部をパイプ部材２６の外周面に当接保持することにより、両アーム２３，２３を開き状態に保持するように構成されている。
【００２６】
また、上記雄ねじ部材２１の前端部には、先端に向かって細くなる先細りテーパ部２７ａを有する抜け止め部２７が一体的に取付固定されている。この抜け止め部２７の最大外径は、上記パイプ部材２６の貫通孔２６ａの径よりも大きく設定されており、この抜け止め部２７によりパイプ部材２６が雄ねじ部材２１から抜け出るのを阻止している。
【００２７】
そして、以上の構造により、プロペラ抜き取り工具２０は、雄ねじ部材２１前端の抜け止め部２７における先細りテーパ部２７ａ先端をシャフト４の先端面４ｃに軸方向より当接させ、アーム２３，２３前端の係止部２５，２５とボス部７の凹部９内周面の係合部１０とを係合させて、その状態をパイプ部材２６で保持しながら、雄ねじ部材２１を回転させることで、支持部材２２を後方向に螺進させ、ボス部７を軸方向にスライドさせてシャフト４から抜き出すように構成されている。
【００２８】
次に、本実施形態に係るプロペラ抜き取り工具２０を用いて、水中ミキサ１のプロペラ６をシャフト４から抜き出す手順について説明する。図１に示すように、まず、プロペラ抜き取り工具２０における雄ねじ部材２１後端の操作部２１ａを回し操作し、アーム２３，２３前端の係止部２５，２５と、水中ミキサ１のプロペラ６のボス部７において凹部９内周面の係合部１０とが係合する程度の位置まで支持部材２２を前方向に螺進させる。この状態で、工具２０の前端部をボス部７の凹部９に挿入し、雄ねじ部材２１前端部の抜け止め部２７におけるテーパ部２７ａ先端を凹部９内のシャフト４の先端面４ｃに軸方向より当接させる。
【００２９】
その際、雄ねじ部材２１前端部に設けられた抜け止め部２７は先細りテーパ部２７ａを有するため、このテーパ部２７ａの先端がシャフト４の先端面４ｃに設けられた穴部４ｅに係合される。これにより、雄ねじ部材２１の前端部をシャフト４の先端面４ｃの中心に容易に位置合わせでき、両者の当接作業が容易となる。
【００３０】
そして、雄ねじ部材２１上のパイプ部材２６を適切な位置に位置付けさせ、このパイプ部材２６よりも後側にある両アーム２３，２３の後端側を各アーム２３中間部の内面がパイプ部材２６に押しつけられるように握ると、両アーム２３，２３がパイプ部材２６との当接位置を支点とするてこの原理でアーム２３，２３前端部を隔離させるように開き、アーム２３，２３前端の係止部２５，２５が凹部９の係合部１０に係合し、この状態でアーム２３，２３が開き状態に安定保持される。
【００３１】
この後、雄ねじ部材２１の操作部２１ａにスパナや六角レンチ等の他の工具（図示せず）を係合させて回転させ、支持部材２２を後方向に螺進させる。このことにより、支持部材２２に支持されている両アーム２３，２３が前端の係止部２５，２５をプロペラボス部７の係合部１０に係合させたままで支持部材２２と共に後方に移動し、ボス部７が軸方向にスライドしシャフト４から抜き出される。
【００３２】
従って、この実施形態においては、プロペラ６のボス部７や、水中ミキサ１の外部シール１３等に損傷を発生させることなく、効率よくプロペラ６を抜き取ることができ、作業性よく容易に水中ミキサ１の点検を行うことができる。
【００３３】
また、上記アーム２３，２３の前端部外面は断面が略円弧状で、プロペラ６のボス部７の凹部９内周面に対応した形状とされているため、アーム２３，２３の前端部外面と凹部９内周面との接触面積が増大し、より堅固に両者を係合することができる。よって、アーム２３，２３前端の係止部２５，２５とボス部７の凹部９内周面の係合部１０との係合状態を安定保持でき、プロペラボス部７の抜き取りの際にアーム２３，２３がプロペラボス部７から外れることはない。
【００３４】
また、雄ねじ部材２１からパイプ部材２６が抜け出そうとしても、それは抜け止め部２７によって阻止されるため、パイプ部材２６を常に工具２０に付随させておくことができ、工具２０の運搬や収納に便利である。
【００３５】
尚、上記実施形態では、雄ねじ部材２１の後端部に六角形状の操作部２１ａを設けているが、これに代えて、雄ねじ部材２１を回し操作するためのハンドル部を一体的に設けてもよい。そうすると、プロペラ６を抜き取る作業の際に、ハンドル部を操作して容易に雄ねじ部材２１を回転することが可能で、別途にレンチやスパナ等の他の工具を用いて雄ねじ部材２１を回し操作することが不要となり、プロペラ抜き取り作業の作業性を高めることができる。
【００３６】
また、上記実施形態では、アーム２３，２３の開き状態を保持するための手段としてパイプ部材２６を設けているが、ばねやその他のものを用いることができる。
【００３７】
また、上記実施形態では、水中機械は水中ミキサとしたが、例えば水中ポンプや水中エアレータ等であってもよく、回転軸の先端部にボス部にて装着されたプロペラを有し、そのボス部の先端面に凹部がその底面に回転軸の先端面を臨ませて形成され、凹部内周面に係合部が設けられた水中機械であれば本発明を適用することができ、同様の作用効果が得られる。
【００３８】
【発明の効果】
以上説明したように、請求項１の発明によると、水中機械のプロペラ抜き取り工具として、複数のアームの開き動作によりアーム前端の係止部がプロペラのボス部の凹部内周面の係合部に係合した状態で、雄ねじ部材の回転により支持部材を後方向に螺進させ、ボス部をスライドさせて回転軸から抜き出すようにし、上記アーム前端の係止部とボス部の凹部内周面の係合部との係合時に、アームを開き状態に保持する係止保持手段を設けたことにより、プロペラのボス部等に損傷を発生させることなく、効率よくプロペラを抜き取ることができる。
【００３９】
請求項２の発明によると、アームの少なくとも前端部外面をプロペラのボス部の凹部内周面に対応した形状としたことにより、アーム前端の係止部とボス部の凹部内周面の係合部との係合状態を安定保持できる。
【００４０】
請求項３の発明によると、係止保持手段は、雄ねじ部材に軸方向に移動可能に支持されたパイプ部材としたことにより、簡単な構造でもって容易にアームを開き状態に安定保持することができる。
【００４１】
請求項４の発明によると、雄ねじ部材の前端部に先細りテーパ部を設けたことにより、雄ねじ部材の前端部を回転軸の先端面に位置合わせして当接させるのが容易となる。
【００４２】
請求項５の発明によると、雄ねじ部材の前端部にパイプ部材の抜け止め部を設けるようにしたことにより、工具の運搬や収納に関して利便性を高めることができる。
【００４３】
請求項６の発明によると、雄ねじ部材の後端部に回転操作のためのハンドルを設けたことにより、プロペラの抜き取り作業の作業性を高めることができる。
【００４４】
請求項７の発明によると、水中機械を水中ミキサとしたことにより、水中ミキサの点検を作業性よく容易に行うことができる。
【図面の簡単な説明】
【図１】本発明の実施形態に係るプロペラ抜き取り工具を用いて水中ミキサのプロペラを抜き出す作業状態を示す図である。
【図２】プロペラ抜き取り工具の正面図である。
【図３】プロペラ抜き取り工具を前側から見た側面図である。
【図４】水中ミキサをその一部を破断して示す正面図である。
【図５】プロペラの蓋を取り外した状態の水中ミキサの側面図である。
【符号の説明】
４  シャフト
４ａ  先端部
４ｃ  先端面
６  プロペラ
７  ボス部
９  凹部
１０  係合部
２０  プロペラ抜き取り工具
２１  雄ねじ部材
２２  支持部材
２３  アーム
２５  係止部
２６  パイプ部材
２７  抜け止め部
２７ａ  テーパ部
【図１】
0004448269.tif 000002
【図２】
0004448269.tif 000003
【図３】
0004448269.tif 000004
【図４】
0004448269.tif 000005
【図５】
0004448269.tif 000006